(57)【要約】【課題】蓄電池の状態を検出可能な電池制御装置において、シンプルな自己診断処理で計測系の異常判定処理を可能とする技術を提供する。【解決手段】ＣＰＵ１０が行う自己診断処理は、取得した車両動作情報及びエンジン動作情報をもとに、車両がアイドルストップ状態にあるか否かを判断し、異常検出処理を行う。アイドルストップ機能を搭載する車両でエンジンが停止した場合、車両の電装部品に電力が供給されるので、電池から電装部品に対して電流供給がなされることになる。その結果、ＣＰＵ１０は、車両停止中かつイグニション３０がオン状態で電流計測を実施した際の電流計測結果により、規定の電流値以下であると、計測系に異常があると判断する。【選択図】図３
2015046997.tif 000002
【特許請求の範囲】
【請求項１】
電池システムの自己診断機能を有する電池制御装置であって、
車両動作状態の情報及びエンジン動作の情報をもとに、車両が動作状態であり、かつエンジン停止状態である場合に、蓄電池の放電電流の値が規定以下であれば、異常が発生していると判断する
ことを特徴とする電池制御装置。
【請求項２】
前記車両動作状態の情報は、イグニションがオンであるか否かの情報であることを特徴とする請求項１に記載の電池制御装置。
【請求項３】
前記エンジン動作の情報は、エンジン回転数であることを特徴とする請求項１または２に記載の電池制御装置。
【発明の詳細な説明】
【技術分野】
【０００１】
本発明は、電池制御装置に係り、例えば、電池システムの自己診断機能を有する電池制御装置に関する。
【背景技術】
【０００２】
電気自動車やＰＨＶ（プラグインハイブリット自動車）が実用化され様々な車種が市場に投入されるようになっている。このような車両においては、動力源として電力が利用される。また、アイドルストップ機能を搭載し燃料消費率の改善が図られるようになっている。また、このような車両においては、システムの信頼性、つまり電池制御装置を含む電池ユニットの信頼性確保が非常に重要である。そして、電池制御装置においては自己診断機能を実行して、異常発生を把握することがなされている。
【０００３】
図１は公知の自己診断機能を有する電池システムの制御部（ＣＰＵ１１０）を示すブロック図である。また、図２はＣＰＵ１１０による自己診断機能の処理を示すフローチャートであり、主に、電流計測系の異常検出処理に着目して示している。
【０００４】
取得した電池電圧変化に対する電流変化量が事前に定められた上で、ＣＰＵ１１０は、それに応じて異常検出を行っていた。具体的には、ＣＰＵ１１０は、計測系自己診断を開始し（Ｓ１１０）、イグニション１３０がオフであれば（Ｓ１１２のＮ）、規定電圧変化を検知する処理を行う（Ｓ１１４）。ＣＰＵ１１０は、規定電圧変化を検知すると（Ｓ１１４のＹ）、放電電流が規定電流以下であるか否かを検知する処理を行う（Ｓ１１６）。規定電流以下であれば（Ｓ１１６のＹ）、ＣＰＵ１１０は電流計測系に異常が発生していると判断する（Ｓ１１８）。
【０００５】
このような電池システムにおいて２次電池の劣化や計測系の異常を検出できる自己診断技術について知られている（例えば、特許文献１参照）。具体的には、特許文献１に開示の技術は、電流測定部によって検出された電流を積算することで二次電池の充電状態（ＳＯＣ）を算出し、電圧測定部及び電流測定部の測定値に基づいて、所定の第１及び第２タイミングにおける二次電池の開放電圧を第１及び第２開放電圧値として推定する。つづいて、第１及び第２タイミングにおける第１及び第２ＳＯＣに基づいて二次電池の充放電量に関する第１情報を取得し、第１及び第２タイミングにおける第１及び第２開放電圧値に基づいて、二次電池の充放電量に関する第２情報を取得し、第１及び第２情報に基づいて、二次電池、電圧検出部、及び電流検出部における異常の有無を判定する。
【先行技術文献】
【特許文献】
【０００６】
【特許文献１】特開２０１０−２００５７４号公報
【発明の概要】
【発明が解決しようとする課題】
【０００７】
ところで、図１及び図２で示した従来技術では、電圧測定系が正常であることが前提となっている。このため、異常が発生したと判断した場合であっても、電圧計測系の異常なのか電流計測系の異常なのかが区別できないという課題があった。特許文献１に開示の技術においても同様であった。このため、異常検出する自己診断処理が増えてしまい、処理が複雑になったり、また、自己診断処理のタイミングが限られてしまうといった課題があり、別の技術が求められていた。
【０００８】
本発明の目的は、このような状況に鑑みてなされたものであり、上記課題を解決する技術を提供することにある。
【課題を解決するための手段】
【０００９】
本発明は、電池システムの自己診断機能を有する電池制御装置であって、車両動作状態の情報及びエンジン動作の情報をもとに、車両が動作状態であり、かつエンジン停止状態である場合に、蓄電池の放電電流の値が規定以下であれば、異常が発生していると判断する。
また、前記車両動作状態の情報は、イグニションがオンであるか否かの情報であってもよい。
また、前記エンジン動作の情報は、エンジン回転数であってもよい。
【発明の効果】
【００１０】
本発明によれば、蓄電池の状態を検出可能な電池制御装置において、シンプルな自己診断処理で計測系の異常判定処理を可能とする技術を提供できる。また、別の観点では、自己診断処理のタイミングを増やすことができる。
【図面の簡単な説明】
【００１１】
【図１】背景技術に係る、自己診断機能を有する電池システムの制御部を示すブロック図である。
【図２】背景技術に係る、制御部（ＣＰＵ）による自己診断機能の処理を示すフローチャートである。
【図３】発明の実施形態に係る、自己診断機能を有する電池システムの制御部を示すブロック図である。
【図４】発明の実施形態に係る、制御部（ＣＰＵ）による自己診断機能の処理を示すフローチャートである。
【発明を実施するための形態】
【００１２】
以下、発明を実施するための形態（以下、「実施形態」という）を、図面を参照しつつ説明する。
【００１３】
図３は、本実施形態に係る、自己診断機能を有する電池システム１の制御部（電池制御装置）であるＣＰＵ１０（マイコン）を示すブロック図である。
【００１４】
ＣＰＵ１０は、自己診断処理を行う機能を備えており、ハイブリッド自動車や電気自動車等の車両に搭載される電池システム１の制御を行うものであって、車両動作情報及びエンジン動作情報を取得するとともに、電池電圧及び充放電電流を計測する。
【００１５】
本実施形態においてＣＰＵ１０が行う自己診断処理は、取得した車両動作情報及びエンジン動作情報をもとに、車両がアイドルストップ状態にあるか否かを判断し、異常検出処理を行う。アイドルストップ機能を搭載する車両では、車両動作中に進行停止した場合、所定の条件を満たすと、エンジンが停止する。この状態では、車両の電装部品には、搭載されている電池から電源（電力）が供給される。そのため、この状態では必ず電池から電装部品に対して電流が流れることになる。その結果、ＣＰＵ１０は、車両停止中かつイグニション３０がオン状態で電流計測を実施した際の電流計測結果により計測系に異常があるか否かを検出する。
【００１６】
図４は、ＣＰＵ１０による自己診断機能の処理を示すフローチャートであって、特に電流計測系２０の異常検出処理に着目して示すものである。
【００１７】
ＣＰＵ１０は、計測系の自己診断処理を開始すると（Ｓ１０）、イグニション３０がオン状態であるか否かを判断する（Ｓ１２）。イグニション３０がオン状態である場合（Ｓ１２のＹ）、ＣＰＵ１０は、取得したエンジン回転数情報４０からエンジン回転数が０より大きいか否かを判断する（Ｓ１４）。つまり、エンジンが動作中か停止中かを判断する。
【００１８】
エンジンが停止中であれば（Ｓ１４のＮ）、ＣＰＵ１０はアイドルストップ状態と判断するとともに、電流計測系２０から電流値を取得し、規定以上の放電電流が流れているか否かを判断する（Ｓ１６）。上述のように、アイドルストップ状態の場合には、車両の電装部品に対して電力供給がなされるので、正常であれば規定以上の放電電流が流れている必要がある。したがって、規定以上の放電電流が流れていない場合（Ｓ１６のＮ）、ＣＰＵ１０は電流計測系に異常が発生していると判定する（Ｓ１８）。
【００１９】
イグニション３０がオフ状態である場合（Ｓ１２のＮ）、エンジンが動作中の場合（Ｓ１４のＹ）、及びアイドルストップ状態で規定以上の放電電流が流れている場合（Ｓ１６のＹ）、ＣＰＵ１０の処理はＳ１２の処理に戻る。
【００２０】
以上、本実施形態によると、電流計測結果で規定以上の放電電流値でなかった場合に、計測系に異常ありと判断できる。つまり、シンプルな構成・処理によって、電圧系に左右されず電流計測系の異常判定を行うことができる。そして、その結果（異常）を上位のシステムへ警告することができ、上位のシステムは早期の適切な対応が可能となる。
【００２１】
また、車両情報とエンジン回転数情報４０を使用することで自己診断処理のタイミングが増え、異常を検出する能力を向上させることができる。
【００２２】
以上、本発明を実施形態をもとに説明した。この実施形態は例示であり、それらの各構成要素及びその組合せにいろいろな変形例が可能なこと、またそうした変形例も本発明の範囲にあることは当業者に理解されるところである。例えば、自己診断処理をする構成として１つのＣＰＵ１０を例示したが、当然に複数のＣＰＵで構成されてもよい。
【符号の説明】
【００２３】
１  電池システム
１０  ＣＰＵ（電池制御装置）
２０  電流計測系
３０  イグニション（車両動作情報）
４０  エンジン回転数情報
【図１】
2015046997.tif 000003
【図２】
2015046997.tif 000004
【図３】
2015046997.tif 000005
【図４】
2015046997.tif 000006